(57)【要約】【課題】  文字板の厚さが異なる場合にも、部品点数を増やすことなく指針と文字板との隙間の調整が可能であり、部品の管理を容易にし、コストを低減する時計を提供する。【解決手段】  厚い文字板１０ａを備えた時計１ａにおいては、機械体取付板１３の背面の中央であって、ムーブメント１１１の前面と当接する部分を含む部分に第１の凹状部１３１ａが形成され、また、機械体取付板１３の背面において後枠１２の開口端１２ａが当接または嵌合される部分を含む部分にも第２の凹状部１３２ａが形成されている。薄い文字板１０ｂを備えた時計１ｂにおいては、機械体取付板１３の背面において、ムーブメント１１１の前面と当接する部分を含む部分に第１の凹状部１３１ａに対応する第１の凸状部１３１ｂが形成されており、後枠１２の開口端１２ａが当接または嵌合される部分を含む部分に第２の凹状部１３２ａに対応する第２の凸状部１３２ｂが形成されている。【選択図】  図１
2006162475.tif 000002
【特許請求の範囲】
【請求項１】
文字板と、該文字板の前方に位置して時刻を表示する指針と、該指針が固定される指針軸が立設されるとともに該指針軸を駆動するムーブメントと、該ムーブメントが設けられた後枠と、背面に前記ムーブメントの前面が当接されて前記後枠が取り付けられるとともに、前面に前記文字板の背面が当接して配置され、時計枠に固定される取付板とを備えた時計であって、
前記取付板には、背面において、前記ムーブメントの前面が当接する部分および前記後枠の開口端と対向する部分に、凸状部または凹状部が形成され、
前記取付板は、前記文字板の厚みに応じて背面と前面とを逆向きに配置換えして用いることが可能であることを特徴とする時計。
【請求項２】
前記取付板には、背面において、前記文字板の３時および９時を表示する表示位置と対向する位置に凸状または凹状の把持部が形成されたことを特徴とする請求項１に記載の時計。
【発明の詳細な説明】
【技術分野】
【０００１】
本発明は、指針によって文字板の目盛等を指示して時刻を表示する時計に関する。
【背景技術】
【０００２】
指針によって文字板の目盛等を指して時刻を表示するアナログ時計においては、時計の用途、種類等に応じて文字板の厚さ、電池の厚さ等の仕様が異なることがある。
【０００３】
文字板の厚さが異なる場合でも、掛け時計等のアナログ時計においては、視認性等のために、指針と文字板との隙間が一定値となるように組み立てる必要がある。よって、文字板の厚さが異なる場合には、文字板と、指針軸を回転駆動するムーブメント(機械部)を備えた後枠との間に介在する機械体取付板を複数枚用いたり、異なる長さの指針軸を用いたり、数種類の後枠を使い分けたり、ムーブメントと後枠との間に位置調整板を挟み込んだりして、指針と文字板との隙間が一定値になるように調整していた。
【０００４】
なお、厚い電池を用いる場合には、時計モジュールの輪列類を保持する板状部品である輪列受に凸状の当接面を形成したものを使用し、薄い電池を用いる場合には、凸状の当接面を形成しない輪列受を使用することにより、電池の厚さが異なる場合にも輪列受を作業机に常に当接させて部品の組み立ての作業性を安定させる技術も特許文献１に開示されている。
【特許文献１】特開平１１−１６０４５８号公報
【発明の開示】
【発明が解決しようとする課題】
【０００５】
しかしながら、上述したように指針と文字板との隙間を一定値になるように調整したのでは、複数の機械体取付板や、異なる長さの指針軸や、異なる種類の後枠を必要としたり、別途位置調整板が必要になったりと、部品点数が増えることによりそれぞれの部品の管理が困難になってしまうとともにコストアップになってしまうという問題があった。また、指針と文字板との隙間の調整に、特許文献１に記載された技術を応用しても、部品点数が増えてしまい、同様の問題があった。
【０００６】
本発明は、上記実情に鑑みてなされたもので、文字板の厚さが異なる場合にも、部品点数を増やすことなく指針と文字板との隙間の調整が可能であり、部品の管理を容易にし、コストを低減する時計を提供することを目的とする。
【課題を解決するための手段】
【０００７】
上記目的を達成するため、本発明の時計は、
文字板と、該文字板の前方に位置して時刻を表示する指針と、該指針が固定される指針軸が立設されるとともに該指針軸を駆動するムーブメントと、該ムーブメントが設けられた後枠と、背面に前記ムーブメントの前面が当接されて前記後枠が取り付けられるとともに、前面に前記文字板の背面が当接して配置され、時計枠に固定される取付板とを備えた時計であって、
前記取付板には、背面において、前記ムーブメントの前面が当接する部分および前記後枠の開口端と対向する部分に、凸状部または凹状部が形成され、
前記取付板は、前記文字板の厚みに応じて背面と前面とを逆向きに配置換えして用いることが可能であることを特徴とする。
【０００８】
また、前記取付板には、背面において、前記文字板の３時および９時を表示する表示位置と対向する位置に凸状または凹状の把持部が形成されるようにしてもよい。
【発明の効果】
【０００９】
本発明によれば、文字板の厚さが異なる場合にも、部品点数を増やすことなく指針と文字板との隙間の調整が可能であり、部品の管理を容易にし、コストを低減する時計を提供することができる。
【発明を実施するための最良の形態】
【００１０】
本発明の実施の形態に係る時計を備えた時計について、以下図面を参照して説明する。図１は、本実施の形態に係る時計の断面図であるが、(ａ)が文字板に厚さ２ｍｍのアクリル材を用いた場合の時計の断面図であり、(ｂ)が文字板に厚さ０．５ｍｍのポリカーボネイト(ＰＣ)材を用いた場合の時計の断面図である。時計１ａ(図１(ａ))，１ｂ(図１(ｂ))は、図１および図２に示すように、文字板１０ａ(図１(ａ))，１０ｂ(図１(ｂ))と、機械体１１と、機械体１１が取り付けられ収納された後枠１２と、文字板１０ａ，１０ｂと後枠１２との間に介在する機械体取付板１３と、指針１４と、時計全体の枠体１５ａ(図１(ａ))，１５ｂ(図１(ｂ))と、前面ガラスカバー１６とを備えている。後枠１２の下部には、電池収納部１１３ａ（図１（ａ）），１１３ｂ（図１（ｂ））が設けられ、それぞれに、ボタン電池、乾電池が収納される。後枠１２の上部には、壁等へ掛けるための掛け部１１４ａ（図１（ａ）），１１４ｂ（図１（ｂ））が設けられている。
【００１１】
文字板１０ａ，１０ｂには、前面に時表示文字や分目盛等が設けられている。後枠１２は、蓋状に形成されており、内部には機械体１１が設けられている。機械体１１は、指針１４を回転させるための回転軸である指針軸１７を回転駆動する機械部(ムーブメント)１１１と、時刻調整における指針１４の調整等のための操作部１１２ａ(図２(ａ))，１１２ｂ(図２(ｂ))とを備えている。なお、文字板１０ａ，１０ｂの中央には、指針軸１７を挿通する挿通孔１０１ａ，１０１ｂが形成されている。
【００１２】
機械体取付板１３は、図３に示すように、プラスチック材料で円形に成形されている。機械体取付板１３の背面には、機械体１１を備えた後枠１２が取り付けられ、前面には、文字板１０ａ，１０ｂの背面が当接されて配置される。後枠１２は、機械体取付板１３の背面に、ねじ等によって固定される。文字板１０ａ，１０ｂは、機械体取付板１３の前面に貼り付けて固定してもよい。なお、機械体取付板１３には、後枠１２の開口端１２ａの一部が嵌合される嵌合孔１３４が形成され、中央に指針軸１７を挿通する挿通孔１３５が形成されている。
【００１３】
機械体取付板１３は、図１(ａ)，(ｂ)に示すように、文字板１０ａ，１０ｂの厚さに応じて、背面と前面とを逆向きに配置換えして用いられる。図１(ａ)に示した厚い文字板１０ａを備えた時計１ａにおいては、図３（ａ）に示すように、機械体取付板１３の背面の中央であって、ムーブメント１１１の前面と当接する部分を含む部分に第１の凹状部１３１ａが形成されており、また、機械体取付板１３の背面において後枠１２の開口端１２ａが当接または嵌合される部分(後枠１２の開口端１２ａと対向する部分)を含む部分にも第２の凹状部１３２ａが形成されている。また、機械体取付板１３の前面には、第１の凹状部１３１ａに対応する第１の凸状部１３１ｂと、第２の凹状部１３２ａに対応する第２の凸状部１３２ｂとが形成されている。第１の凸状部１３１ｂおよび第２の凸状部１３２ｂは、文字板１０ａの背面と当接する。
【００１４】
また、機械体取付板１３の背面には、図２(ａ)および図３（ａ）に示すように、文字板１０ａの３時および９時の表示位置に対向する部分にも、第３の凹状部１３３ａが形成されている。第３の凹状部１３３ａは、掛け部１１４ａを壁面に設けられた時計取付具に掛けて時計１ａを壁面に設置する場合に、把持部となる。
【００１５】
一方、図１(ｂ)に示した薄い文字板１０ｂを備えた時計１ｂにおいては、図１(ａ)に示した時計１ａとは機械体取付板１３が前面と背面とを逆向きに配置換えして取り付けられている。すなわち、図３（ｂ）に示すように、機械体取付板１３の背面において、ムーブメント１１１の前面と当接する部分を含む部分に第１の凸状部１３１ｂが形成されており、後枠１２の開口端１２ａが当接または嵌合される部分を含む部分に第２の凸状部１３２ｂが形成されている。また、機械体取付板１３の前面には、第１の凹状部１３１ａおよび第２の凹状部１３２ａが形成されている。また、機械体取付板１３の背面には、図２(ｂ)および図３（ｂ）に示すように、第３の凹状部１３３ａに対応する部分に第３の凸状部１３３ｂが形成されており、把持部となる。
【００１６】
指針１４は、文字板１０ａ，１０ｂの前方に位置して、文字板１０ａ，１０ｂの時表示文字や分目盛等を指示することにより時刻を表示するものであり、時針体１４１、分針体１４２および秒針体１４３とにより構成されている。後枠１２に備えられたムーブメント１１１に立設された指針軸１７は、機械体取付板１３の挿通孔１３５および文字板１０ａ，１０ｂの挿通孔１０１ａ，１０１ｂに挿通され、この挿通された指針軸１７には、時針体１４１、分針体１４２および秒針体１４３がこの順で取り付けられる。
【００１７】
時計１ａにおける時針体１４１と文字板１０ａの前面との隙間と、時計１ｂにおける時針体１４１と文字板１０ｂの前面との隙間とは、視認性等を考慮して同じ大きさになっている。具体的に説明すると、文字板１０ａが厚い時計１ａにおいては、機械体取付板１３の背面の第１の凹状部１３１ａにムーブメント１１１の前面が当接することにより、ムーブメント１１１の指針軸１７は前面側方向に配置され、指針軸１７に取り付けられる時針体１４１も前面側方向に配置されるので、時針体１４１と文字板１０ａの前面との隙間は大きくなる方向で調整される。
【００１８】
一方、文字板１０ｂが薄い時計１ｂにおいては、機械体取付板１３の背面の第１の凸状部１３１ｂにムーブメント１１１の前面が当接することにより、ムーブメント１１１の指針軸１７は背面側方向に配置され、指針軸１７に取り付けられる時針体１４１も背面側方向に配置されるので、時針体１４１と文字板１０ｂの前面との隙間は小さくなる方向で調整される。
【００１９】
よって、文字板１０ａ，１０ｂの厚さが異なっても、同一の機械体取付板１３の前面と背面とを逆向きに配置換えすることで、文字板１０ａ，１０ｂの前面と時針体１４１との隙間を一定値に調整することができる。
【００２０】
枠体１５ａ，１５ｂの背面側には、機械体取付板１３の周縁部がねじ等により固定されており、押さえ部材１５１ａ，１５１ｂ等により文字板１０ａ，１０ｂも枠体１５ａ，１５ｂに固定されている。また、枠体１５ａ，１５ｂの前面側には、前面ガラスカバー１６が嵌められて固定されている。
【００２１】
なお、図１(ａ)の時計１ａは、厚い文字板で両面印刷することにより質感を出せる高級品仕様となっているのに対して、図１(ｂ)の時計１ｂは、薄い文字板で目盛表示の可能な一般ユーザ向けの製品であることから、ムーブメント１１１や枠体１５ａ，１５ｂ等の構造が異なり、また、後枠１２についても、電池収納部１１３ａ，１１３ｂ周辺の構造等が若干異なってはいるが、後枠１２は、時計１ａ，１ｂについて同じものを用いることが可能である。すなわち、図１(ａ)の時計１ａと図１(ｂ)の時計１ｂの構成において、指針１４と文字板１０ａ，１０ｂの前面との隙間を一定値にする調整のために、異なる種類の部品を用いたり、別途部品を必要とすることはない。
【００２２】
このように本実施の形態の時計では、文字板１０ａ，１０ｂの厚さが異なる場合でも、文字板１０ａ，１０ｂの厚さに応じて、機械体取付板１３の形状が異なる前面と背面とを逆向きに配置換えすることにより、指針１４と文字板１０ａ，１０ｂとの隙間を一定にすることができるようにしたので、異なる種類のムーブメント１１や後枠１２を必要としたり、別途部品が必要となることがなくなり、部品点数を増やす必要がなくなる。よって、部品の管理は容易になり、部品に関するコストを低減することができる。
【００２３】
また、本実施の形態の時計では、機械体取付板１３の背面に形成された第３の凹状部１３３ａおよび第３の凸状部１３３ｂを把持部として形成するようにしたので、時計１ａ，１ｂを壁に掛けて設置することが容易になる。第３の凹状部１３３ａは、第１の凹状部１３１ａおよび第２の凹状部１３２ａと同時に金型で容易に成形することができる。また、第３の凸状部１３３ｂについても、第１の凸状部１３１ｂおよび第２の凸状部１３２ｂと同時に金型で容易に成形することができる。
【００２４】
以上、実施形態を挙げて本発明を説明したが、本発明は上記実施形態に限定されるものではなく、種々変形が可能である。例えば、本発明では、機械体取付板１３の背面の中央においてムーブメント１１１の前面と当接する部分を含む部分に第１の凹状部１３１ａ(第１の凸状部１３１ｂ)を形成すればよく、第１の凹状部１３１ａの機械体取付板１３上での位置、形状および大きさは任意である。また、第２の凹状部１３２ａ(第２の凸状部１３２ｂ)についても、機械体取付板１３の背面において、後枠１２の開口端１２ａが当接または嵌合等される部分を含む部分に形成されればよく、その位置、形状および大きさは任意である。
【００２５】
また、本実施の形態では、時計１ａ，１ｂが機械体取付板１３よりも小さい後枠１２を備える例について説明したが、後枠１２は機械体取付板１３と同じ大きさであってもよい。
【００２６】
また、本実施の形態では、機械体取付板１３の背面に第３の凹状部１３３ａおよび第３の凸状部１３３ｂを形成する例について説明したが、必ずしも形成する必要はない。
【００２７】
また、本実施の形態では、円形の時計１ａ，１ｂについて説明したが、必ずしも円形である必要はなく、例えば矩形であってもよい。
【００２８】
また、本実施の形態では、時計１が掛け時計である例について説明したが、必ずしも掛け時計である必要はなく、例えば置き時計であっても本発明を適用することはできる。
【図面の簡単な説明】
【００２９】
【図１】(ａ)は、本実施の形態に係る厚い文字板を備えた時計の断面図、(ｂ)は、本実施の形態に係る薄い文字板を備えた時計の断面図である。
【図２】(ａ)は、図１(ａ)に示した時計の背面図、(ｂ)は、図１(ｂ)に示した時計の背面図である。
【図３】（ａ）は、図１（ａ）に示した時計が備えた機械体取付板の背面図、（ｂ）は、図１（ｂ）に示した時計が備えた機械体取付板の背面図である。
【符号の説明】
【００３０】
１ａ，１ｂ      時計
１０ａ，１０ｂ  文字板
１１            機械体
１１１          機械部(ムーブメント)
１２            後枠
１２ａ          開口端
１３            機械体取付板
１３１ａ        第１の凹状部
１３２ａ        第２の凹状部
１３１ｂ        第１の凸状部
１３２ｂ        第２の凸状部
１３３ａ        第３の凹状部
１３３ｂ        第３の凸状部
１４            指針
１７            指針軸  
【図１】
2006162475.tif 000003
【図２】
2006162475.tif 000004
【図３】
2006162475.tif 000005